(57)【要約】【課題】手術用品の搬送用リフト装置の設置スペースを低減する。【解決手段】手術用品の保管庫のある階層（Ａ）と手術室のある階層（Ｂ）との間を移動するかご（１５）を備えた手術用品の搬送用リフト装置において、かご（１５）が上下二層の手術用品の格納部（１５ａ，１５ｂ）を備え、各格納部（１５ａ，１５ｂ）に対する手術用品の搬入口（２２ａ，２２ｂ）が保管庫のある階層（Ａ）に設けられ、各格納部（１５ａ，１５ｂ）に対する手術用品の搬出口（２８ａ，２８ｂ）が手術室のある階層（Ｂ）に設けられる。【選択図】　　　図１
2004091181.tif 000002
【特許請求の範囲】
【請求項１】
手術用品の保管庫のある階層と手術室のある階層との間を移動するかごを備えた手術用品の搬送用リフト装置において、かごが上下二層の手術用品の格納部を備え、各格納部に対する手術用品の搬入口が保管庫のある階層に設けられ、各格納部に対する手術用品の搬出口が手術室のある階層に設けられたことを特徴とする手術用品搬送用リフト装置。
【請求項２】
請求項１に記載の手術用品の搬送用リフト装置において、上下二層の格納部の双方又は一方に対する搬入口と搬出口が保管庫と手術室にそれぞれクリーン搬送路で接続されたことを特徴とする手術用品搬送用リフト装置。
【請求項３】
請求項２に記載の手術用品の搬送用リフト装置において、かごの昇降路に空気排出手段が設けられたことを特徴とする手術用品搬送用リフト装置。
【発明の詳細な説明】
【０００１】
【発明の属する技術分野】
本発明は、手術用品搬送用リフト装置に関する。
【０００２】
【従来の技術】
手術用品には様々なものがあるが、そのうち手術器具類には手術内容に応じてセットとして取り揃え滅菌状態で保管しておくのが望ましいものがある。このような手術器具類はセットごとにコンテナ内に収納され滅菌状態で保管される。病院内の保管庫には手術器具類の各種セットをそれぞれ収納したコンテナが保管され、必要に応じて保管庫から手術室へとコンテナが搬送される。また、手術用品である例えば不定形の用品は上記コンテナとは別個の保管庫に保管され、そこから比較的大容量のワゴンに収納されて手術室へと搬送される。このように手術器具類のセットを収納したコンテナと他の不定形の手術用品は別個に保管されるため、コンテナとワゴンは互いに別の搬送経路で保管庫から手術室へと搬送される。
【０００３】
また、病院、診療所等の医療施設において保管庫と手術室は別々の階層に配置されるのが一般的であり、通常の場合階層間には搬送経路としてコンテナ用のリフト装置とワゴン用のリフト装置がそれぞれ設けられる。コンテナはコンテナ用の保管庫からその階層の経路を水平移動し、コンテナ用のリフト装置のかごに乗せられて手術室の階層へと垂直移動し、手術室の階層の経路を水平移動して手術室に到達する。ワゴンは不定形の用品等の保管庫からその階層の経路を水平移動し、ワゴン用のリフト装置のかごに乗せられて手術室の階層へと垂直移動し、手術室の階層の経路を水平移動して手術室に到達する。
【０００４】
【発明が解決しようとする課題】
従来のコンテナとワゴンを個別のリフト装置により保管庫から手術室まで搬送する方式では、病院等の建物にリフト装置を複数基設けなければならないので、スペースを二倍又はそれ以上要することになり、設置・運用コストが増加すると同時に、搬送のための人員、時間も倍近く要することになる。
【０００５】
従って、本発明はそのような問題点を解決することができるリフト装置を提供することを目的とする。
【０００６】
【課題を解決するための手段】
上記課題を解決するため、請求項１に係る発明は、手術用品の保管庫のある階層（Ａ）と手術室のある階層（Ｂ）との間を移動するかご（１５）を備えた手術用品の搬送用リフト装置において、かご（１５）が上下二層の手術用品の格納部（１５ａ，１５ｂ）を備え、各格納部（１５ａ，１５ｂ）に対する手術用品の搬入口（２２ａ，２２ｂ）が保管庫のある階層（Ａ）に設けられ、各格納部（１５ａ，１５ｂ）に対する手術用品の搬出口（２８ａ，２８ｂ）が手術室のある階層（Ｂ）に設けられた手術用品搬送用リフト装置を採用する。
【０００７】
この請求項１に係る発明によれば、かご（１５）の上層又は下層の格納部（１５ａ，１５ｂ）に或る種類の手術用品を格納し、下層又は上層の格納部（１５ｂ，１５ａ）に他の種類の手術用品を格納することにより一基のかご（１５）で二通りの手術用品を同時に階層（Ａ，Ｂ）間で搬送することができる。従って、リフト装置（７）の設置数を低減し、リフト装置（７）を設置するための病院等建物内のスペース、設置費用、リフト装置（７）の操作労力・時間等を低減することができる。
【０００８】
また、請求項２に係る発明は、請求項１に記載の手術用品の搬送用リフト装置において、上下二層の格納部（１５ａ，１５ｂ）の双方又は一方に対する搬入口（２２ａ，２２ｂ）と搬出口（２８ａ，２８ｂ）が保管庫と手術室にそれぞれクリーン搬送路（６，１１）で接続された手術用品搬送用リフト装置を採用する。
【０００９】
この請求項２に係る発明によれば、手術用品が保管庫から手術室へと滅菌状態を維持したまま搬送される。
【００１０】
また、請求項３に係る発明は、請求項２に記載の手術用品搬送用リフト装置において、かご（１５）の昇降路（１４）に空気排出手段（３３）が設けられた手術用品搬送用リフト装置を採用する。
【００１１】
この請求項３に係る発明によれば、空気排出手段（３３）によって搬入口（２２ａ）及び搬出口（２８ａ）からクリーン搬送路（６，１１）内の清浄な空気が昇降路（１４）内に導入される。このため、かご（１５）の回りが清潔に保たれ、手術用品が衛生的にかご（１５）とクリーン搬送路（６，１１）との間で受け渡される。
【００１２】
【発明の実施の形態】
以下、本発明の実施の形態について図面を参照して説明する。
【００１３】
この医療施設において手術用品の保管庫と手術室は図１に示す別々の階層Ａ，Ｂに配置される。この実施の形態では下階層Ａに保管庫が設けられ、上階層Ｂに手術室が設けられるが、上階層Ｂに保管庫を設け、下階層Ａに手術室を設けてもよい。
【００１４】
図示しないが保管庫は手術用品の種類に応じて複数種類用意される。手術用品のうち例えば手術器具類は手術内容に応じてセットとして取り揃えられセットごとに図１及び図３に例示されるコンテナ１内に収納され滅菌状態で保管される。コンテナ１は通気孔をＨＥＰＡ（Ｈｉｇｈ　Ｅｆｆｉｃｉｅｎｃｙ　Ｐａｒｔｉｃｕｌａｔｅ　Ａｉｒ　ｆｉｌｔｅｒ）フィルタにより覆った金属製の箱であり、公知の容器であるからその詳細な説明は省略する。これらのコンテナ１は空気清浄化手段、殺菌手段等を備えた無菌状態の保管庫内に収納され保管される。コンテナ１は手術室側からの要求に応じて保管庫からロボット等により取り出される。また、手術用品である例えば不定形の用品はコンテナ用保管庫とは別個の保管庫に保管され、手術室側の要求に応じて図１及び図２に例示されるワゴン２に積載され、ワゴン２ごと保管庫から取り出される。ワゴン２は、シャッタ３が設けられた箱体であり、キャスタ４等を備え人手によって搬送される。あるいは、ワゴン２は無線により遠隔操作される自走装置を備えた構造とすることもできる。
【００１５】
図１に示すように、保管庫のある下階層Ａには、ワゴン２を搬送するワゴン用水平搬送路５とコンテナ１を搬送するコンテナ用水平搬送路６が設けられる。ワゴン用水平搬送路５は保管庫のある階層Ａの床面が利用され、この床面上をワゴン２が保管庫から後述するリフト装置７へと走行する。コンテナ用水平搬送路６は保管庫のある階層Ａの天井側に配置される角筒状の導管を備える。導管内にはベルトコンベア、ローラコンベア等の搬送手段８が設けられる。また、導管にはＨＥＰＡフィルタユニット（図示せず）と吐出ダクト９が設けられ、大気がＨＥＰＡフィルタユニットを通過することにより清浄な空気として導管内に取り入れられ、吐出ダクト９から導管外に排出される。これにより、導管内はクリーン搬送路として常時清浄に保たれ、この清浄な雰囲気中をコンテナ１が保管庫からリフト装置７へと搬送手段８により搬送される。もちろん、ワゴン用水平搬送路５とコンテナ用水平搬送路６の配置は床と天井との間で入れ替えてもよいし、隣接するように配置してもよいし、階層Ａの側壁に配置するようにしてもよい。
【００１６】
また、手術室のある階層Ｂには、ワゴン２を搬送するワゴン用水平搬送路１０とコンテナ１を搬送するコンテナ用水平搬送路１１が設けられる。ワゴン用水平搬送路１０は手術室のある階層Ｂの床面が利用され、この床面上をワゴン２がリフト装置７から手術室へと走行する。コンテナ用水平搬送路１１は手術室のある階層Ｂの天井側に配置される導管を備える。導管内にはベルトコンベア、ローラコンベア等の搬送手段１２が設けられる。また、導管にはＨＥＰＡフィルタユニット（図示せず）と吐出ダクト１３が設けられ、大気がＨＥＰＡフィルタユニットを通過することにより清浄な空気として導管内に取り入れられ、吐出ダクト１３から導管外に排出される。これにより、導管内はクリーン搬送路として常時清浄に保たれ、この清浄な雰囲気中をコンテナ１がリフト装置７から手術室へと搬送手段１２により搬送される。
【００１７】
図１乃至図３に示すように、保管庫のある階層Ａと手術室のある階層Ｂとはリフト装置７で結ばれ、このリフト装置７によりワゴン２とコンテナ１とが同時に搬送される。
【００１８】
リフト装置７は、各階層Ａ，Ｂを垂直方向に貫いて伸びる昇降路１４、昇降路１４内を昇降する一基のかご１５、昇降路１４内でかご１５を昇降させる巻上機１６、かご１５を安定的に保持するためのバランス錘１７等を備える。巻上機１６の作動により、かご１５は昇降路１４内を昇降し、手術用品の保管庫のある階層Ａ又は手術室のある階層Ｂで停止する。
【００１９】
かご１５は上下二層の格納部１５ａ，１５ｂを備え、上層の格納部１５ａがコンテナ１の格納用、下層の格納部１５ｂがワゴン２の格納用にそれぞれ設定され、各々箱型に形成される。コンテナ１とワゴン２の各格納部１５ａ，１５ｂは、各階層Ａ，Ｂにおけるコンテナ１とワゴン２の水平搬送路５，６，１０，１１の配置により上下間で入れ替え可能である。各格納部１５ａ，１５ｂの前面は開口しており、各開口は上下方向にスライドする開閉扉１８，１９により開閉される。上層の格納部１５ａの底にはローラコンベア２０が設けられ、下層の格納部１５ｂの底にはベルト移載機２１が設けられる。なお、必要に応じてコンテナ１の格納部１５ａにはＨＥＰＡフィルタユニットが装着される。
【００２０】
また、保管庫のある階層Ａには、かご１５の上層の格納部１５ａと下層の格納部１５ｂに対する搬入口２２ａ，２２ｂが形成される。各搬入口２２ａ，２２ｂは防火扉としても機能する外扉２３，２７で開閉可能に閉じられる。この階層Ａの水平搬送路５である床上には、下層の格納部１５ｂに対する搬入口２２ｂに対応してステーションコンベア２４と、ステーションガイドローラ２５と、安全柵２６とが設けられる。図１及び図２に示すように、かご１５がこの階層Ａで停止し、下層の格納部１５ｂが対応する搬入口２２ｂに合致すると、対応する開閉扉１９と外扉２７とが開き、ワゴン２がステーションコンベア２４とステーションガイドローラ２５とベルト移載機２１とにより下層の格納部１５ｂ内へと導入される。その後、下層の格納部１５ｂの開閉扉１９と外扉２７が閉じ、かご１５が少しばかり上昇し、上層の格納部１５ａが対応する搬入口２２ａに合致すると、対応する開閉扉１８と外扉２３とが開き、コンテナ１がベルトコンベア８とローラコンベア２０とにより上層の格納部１５ａ内へと導入される。その後、上層の格納部１５ａの開閉扉１８と外扉２３が閉じると、かご１５が上昇してワゴン２とコンテナ１の双方を手術室のある上階層Ｂへと垂直方向に搬送する。
【００２１】
手術室のある階層Ｂには、かご１５の上層の格納部１５ａと下層の格納部１５ｂに対する搬出口２８ａ，２８ｂが形成される。各搬出口２８ａ，２８ｂは外扉２９，３０で開閉可能に閉じられる。この階層Ｂの水平搬送路１０である床上には、下層の格納部１５ｂに対する搬入口２８ｂに対応してステーションコンベア３１と、ステーションガイドローラ３２と、安全柵３３とが設けられる。図１及び図２に示すように、かご１５がこの階層Ｂで停止し、下層の格納部１５ｂが対応する搬出口２８ｂに合致すると、対応する開閉扉１９と外扉３０とが開き、ワゴン２がステーションコンベア３１とステーションガイドローラ３２とベルト移載機２１とにより下層の格納部１５ｂ内から階層Ｂの床上へと搬出される。その後、下層の格納部１５ｂの開閉扉１９と外扉３０が閉じ、かご１５が少しばかり上昇し、上層の格納部１５ａが対応する搬出口２８ａに合致すると、対応する開閉扉１８と外扉２９とが開き、コンテナ１がベルトコンベア１２とローラコンベア２０とにより上層の格納部１５ａ内からクリーン搬送路である導管内へと搬出される。その後、上層の格納部１５ａの開閉扉１８と外扉２９が閉じると、空になったかご１５が保管庫のある下階層Ａへと昇降路１４内を下降する。
【００２２】
図１に示すように、リフト装置７におけるかご１５の昇降路１４には、例えばブロアである空気排出手段３４が設けられる。昇降路１４は回りを囲繞壁で囲まれて気密化されており、ブロアにより上記搬入口２２ａ又は搬出口２８ａから清浄な空気を吸引するようになっている。この清浄な空気の流れにより昇降路１４内が清潔に保たれる。
【００２３】
次に、上記構成の手術用品搬送用リフト装置の作用について説明する。
【００２４】
先ず保管庫のある階層Ａにおいて不定形の手術用品等を収納したワゴン２を人手によりリフト装置７のステーションコンベア２４の上に乗せ、リフト装置７の図示しない制御部に設けた入庫ボタンを人手で押下する。制御部は入庫ボタンが押下されたことを検出すると、搬入口２２ｂの外扉２７を開く指示を出す。この指示によって外扉２７が開くと共にステーションコンベア２４が作動し、ワゴン２をかご１５の下層の格納部１５ｂ内に搬入する。
【００２５】
かご１５内へのワゴン２の入庫が完了した時点で、制御部が外扉２７と開閉扉１９を閉じる旨の指示を出す。この指示によって外扉２７がワゴン２の搬入口２２ｂを閉じ、開閉扉１９が格納部１５ｂの開口を閉じる。
【００２６】
次いで、制御部がリフト装置７の巻上機１６を起動させ、巻上機１６はかご１５をその上層の格納部１５ａがコンテナ１の搬入口２２ａに合致するように移動させ停止させる。かご１５の上層の格納部１５ａがコンテナ１の搬入口２２ａに合致すると、制御部からの指令により外扉２３と開閉扉１８とが開く。次いで、導管のクリーン搬送路内のベルトコンベア８が駆動し、コンテナ１をかご１５の上層の格納部１５ａに搬入する。コンテナ１が格納部１５ａに搬入されると、制御部からの指令により外扉２３と開閉扉１８とが閉じる。
【００２７】
その後、制御部の指令により、巻上機１６がかご１５を上記下階層Ａから手術室のある上階層Ｂへと上昇させ、かご１５の下層の格納部１５ｂを上階層Ｂの搬出口２８ｂに合致させる。かご１５の下層の格納部１５ｂが搬出口２８ｂに合致すると、制御部の指示によって外扉３０と開閉扉１９とが開き、ベルト移載機２１とステーションコンベア３１の駆動によりワゴン２が格納部１５ｂから搬出口２８ｂを通って上階層Ｂの水平搬送路１０である床面上へと搬出される。ワゴン２はその後人手等により手術室へと搬送され、手術室内においてワゴン２から不定形の手術用品等が取り出される。
【００２８】
ワゴン２が搬出され外扉３０と開閉扉１９とが閉じた後、制御部からの指令によりリフト装置７の巻上機１６が、上層の格納部１５ａがコンテナ１の搬出口２８ａに合致するようにかご１５を垂直方向に移動させ停止させる。かご１５の上層の格納部１５ａがコンテナ１の搬出口２８ａに合致すると、制御部からの指令により外扉２９と開閉扉１８とが開く。次いで、格納部１５ａ内のローラコンベア２０とクリーン搬送路内のベルトコンベア１２とが駆動し、コンテナ１を上層の格納部１５ａからクリーン搬送路内に搬出する。コンテナ１はこのクリーン搬送路内をベルトコンベア１２により手術室内へと無菌状態を保持しつつ搬送され、手術室内で開封され、手術用品が取り出される。
【００２９】
コンテナ１が格納部１５ａから搬出されると、制御部からの指令により外扉２９と開閉扉１８とが閉じる。空になったかご１５は巻上機１６によって昇降路１４内を降下し、保管庫のある下階層Ａへと戻る。
【００３０】
以後、上記動作が繰り返され、手術用品が保管庫から手術室へと運搬される。
【００３１】
なお、上記の実施の形態では手術用品をコンテナ、ワゴンのような箱内に詰めて搬送するようになっているが、袋に詰めて搬送することも可能であり、また、手術用品の種類によっては箱や袋に詰めないで剥き出しで搬送することも可能である。
【００３２】
【発明の効果】
請求項１に係る発明によれば、手術用品の保管庫のある階層と手術室のある階層との間を移動するかごを備えた手術用品の搬送用リフト装置において、かごが上下二層の手術用品の格納部を備え、各格納部に対する手術用品の搬入口が保管庫のある階層に設けられ、各格納部に対する手術用品の搬出口が手術室のある階層に設けられた手術用品搬送用リフト装置であるから、かごの上層又は下層の格納部に或る種類の手術用品を格納し、下層又は上層の格納部に他の種類の手術用品を格納することにより一基のかごで二通りの手術用品を同時に階層間で搬送することができる。従って、リフト装置の設置数を低減し、リフト装置を設置するための病院等建物内のスペース、設置費用、リフト装置の操作労力・時間等を低減することができる。
【００３３】
請求項２に係る発明によれば、請求項１に記載の手術用品の搬送用リフト装置において、上下二層の格納部の双方又は一方に対する搬入口と搬出口が保管庫と手術室にそれぞれクリーン搬送路で接続された手術用品搬送用リフト装置であるから、手術用品が保管庫から手術室へと滅菌状態を維持したまま搬送される。
【００３４】
請求項３に係る発明によれば、請求項２に記載の手術用品搬送用リフト装置において、かごの昇降路に空気排出手段が設けられた手術用品搬送用リフト装置であるから、空気排出手段によって搬入口及び搬出口からクリーン搬送路内の清浄な空気が昇降路内に導入される。このため、かごの回りが清潔に保たれ、手術用品が衛生的にかごとクリーン搬送路との間で受け渡される。
【図面の簡単な説明】
【図１】本発明に係る手術用品搬送用リフト装置の垂直断面図である。
【図２】図１中、ＩＩ−ＩＩ線矢視図である。
【図３】図１中、ＩＩＩ−ＩＩＩ線矢視図である。
【符号の説明】
６，１１…水平搬送路
７…リフト装置
１４…昇降路
１５…かご
１５ａ…上層の格納部
１５ｂ…下層の格納部
２２ａ，２２ｂ…手術用品の搬入口
２８ａ，２８ｂ…手術用品の搬出口
３３…空気排出手段
Ａ…保管庫のある階層
Ｂ…手術室のある階層
【図１】
2004091181.tif 000003
【図２】
2004091181.tif 000004
【図３】
2004091181.tif 000005